(57)【要約】【課題】  良好なユビキタス空間の構築が行われるようにする。【解決手段】  ユーザによって操作されるパーソナルコンピュータ１１は、有線及び／または無線によるＬＡＮ１２を経由して空間サーバ装置１３に接続される。この空間サーバ装置１３からは、ＬＡＮ１２を経由してプロジェクタ制御プログラムの搭載されたパーソナルコンピュータ１４、照明制御プログラムの搭載されたパーソナルコンピュータ１５に接続される。パーソナルコンピュータ１４にはＲＧＢのデータ線を通じてプロジェクタ１６が接続され、パーソナルコンピュータ１４で形成された映像がプロジェクタ１６で表示される。またパーソナルコンピュータ１５には、例えばＵＳＢを通じて照明の調光装置１７が接続され、この調光装置１７に照明器具１８ａ、１８ｂが接続される。これにより、パーソナルコンピュータ１５の制御に従って照明器具１８ａ、１８ｂの調光が行われる。【選択図】        図２
2006068154.tif 000002
【特許請求の範囲】
【請求項１】
柱部材及び桁部材が組み立てられてなる構造物を有し、
前記柱部材及び桁部材には、それぞれ少なくとも電源線とデータ線が収容可能とされると共に、前記柱部材及び桁部材を用いて機器の設置が可能とされ、
前記電源線とデータ線を介して前記機器の駆動の制御を行う制御手段が設けられる
ことを特徴とするユビキタス空間構築システム。
【請求項２】
請求項１記載のユビキタス空間構築システムにおいて、
前記制御手段は、前記構造物の近傍で運用される情報端末によってアクセスされる空間サーバ装置と連携され、
前記情報端末での指示に対し、前記空間サーバ装置を介して前記制御手段による前記機器の駆動の制御が行われる
ことを特徴とするユビキタス空間構築システム。
【請求項３】
少なくとも電源線とデータ線が収容可能とされると共に、機器の設置が可能とされた柱部材及び桁部材が組み立てられてなる構造物を有し、
前記電源線とデータ線を介して前記機器の駆動の制御を行う制御手段が設けられ、
前記制御手段は空間サーバ装置と連携され、
前記構造物の近傍で運用される情報端末が外部のネットワークを介してネットワークサーバ装置に接続され、
前記ネットワークサーバ装置と前記空間サーバ装置とのサービス空間が統合されて予め設定された利用権限内で互いのサービスが利用可能とされ、
前記利用権限内で、前記情報端末での指示に対して、前記ネットワークサーバ装置及び前記空間サーバ装置を介して前記制御手段による前記機器の駆動の制御が行われる
ことを特徴とするユビキタス空間構築システム。
【請求項４】
請求項２または請求項３のいずれかに記載のユビキタス空間構築システムにおいて、
前記機器にはビデオプロジェクタを含み、
前記情報端末で生成された画像情報が前記空間サーバ装置を介して前記制御手段に配信され、
前記制御手段で形成された映像信号が前記ビデオプロジェクタに供給される
ことを特徴とするユビキタス空間構築システム。
【請求項５】
請求項２または請求項３のいずれかに記載のユビキタス空間構築システムにおいて、
前記機器には照明及び／または空調機器を含み、
前記情報端末で生成された指示情報が前記空間サーバ装置を介して前記制御手段に配信され、
前記制御手段により前記照明及び／または空調機器の制御が行われる
ことを特徴とするユビキタス空間構築システム。
【発明の詳細な説明】
【技術分野】
【０００１】
本発明は、例えば展示場や会議室のような場所にユビキタス空間を構築する場合に使用して好適なユビキタス空間構築システムに関する。詳しくは、柱部材及び桁部材が組み立てられてなる構造物を設け、これらの柱部材及び桁部材に機器を設置すると共に、その場所にユビキタス空間を構築して、設置された機器の制御を円滑且つ良好に行えるようにしたものである。
【背景技術】
【０００２】
屋内等に柱部材及び桁部材からなる構造物を組み立てて、いわゆるブースを設営することは従来から行われている（例えば、特許文献１参照。）。
【０００３】
すなわち、特許文献１の発明においては、屋内等に柱部材及び桁部材からなる構造物を組み立てて、いわゆるブースを設営すると共に、それらの柱部材及び桁部材に電源線やデータ線などを収容して情報機器等の設置が容易に行われるようにしている。
【特許文献１】特開２００３−１８０４５４号公報
【発明の開示】
【発明が解決しようとする課題】
【０００４】
しかしながら、上述の特許文献１においては、単に構造物の内部に設置される機器に対して、電源やデータを供給することが述べられているだけであって、これらの機器を、例えば携帯型の情報端末を用いて良好に制御することができる空間、すなわちユビキタス空間を構築することに関しては全く考えられていなかった。
【０００５】
この発明はこのような点に鑑みて成されたものであって、本発明の目的は、柱部材及び桁部材が組み立てられてなる構造物を設けると共に、その内部に設置される機器の制御が、例えば携帯型の情報端末によって良好に行われるようにして、良好なユビキタス空間が構築されるようにするものである。
【課題を解決するための手段】
【０００６】
上記の課題を解決し、本発明の目的を達成するため、請求項１に記載された発明は、ユビキタス空間構築システムであって、柱部材及び桁部材が組み立てられてなる構造物を有し、この柱部材及び桁部材には、それぞれ少なくとも電源線とデータ線が収容可能とされると共に、柱部材及び桁部材を用いて機器の設置が可能とされ、電源線とデータ線を介して機器の駆動の制御を行う制御手段が設けられていることを特徴とする。
【０００７】
また、請求項２に記載の発明によるユビキタス空間構築システムでは、制御手段は、構造物の近傍で運用される情報端末によってアクセスされる空間サーバ装置と連携され、この情報端末が指示により、空間サーバ装置を介して制御手段による機器の駆動制御を行うようにしている。
【０００８】
さらに、本発明の目的を達成するため、請求項３に記載された発明は、ユビキタス空間構築システムであって、少なくとも電源線とデータ線が収容可能とされると共に、機器の設置が可能とされた柱部材及び桁部材が組み立てられてなる構造物を有し、電源線とデータ線を介して機器の駆動の制御を行う制御手段が設けられ、制御手段は空間サーバ装置と連携され、構造物の近傍で運用される情報端末が外部のネットワークを介してネットワークサーバ装置に接続され、ネットワークサーバ装置と空間サーバ装置とのサービス空間が統合されて予め設定された利用権限内で互いのサービスが利用可能とされ、利用権限内で、情報端末での指示に対して、ネットワークサーバ装置及び空間サーバ装置を介して制御手段による機器の駆動の制御が行われることを特徴とする。
【０００９】
請求項４に記載の発明によるユビキタス空間構築システムでは、設置される機器としてビデオプロジェクタを含み、情報端末で生成された画像情報が空間サーバ装置を介して制御手段に配信され、制御手段で形成された映像信号がビデオプロジェクタに供給されることを特徴としている。
【００１０】
請求項５に記載の発明によるユビキタス空間構築システムでは、設置される機器として照明及び／または空調機器を含み、情報端末で生成された指示情報が空間サーバ装置を介して制御手段に配信され、制御手段によりこれら設置される照明及び／または空調機器の制御が行われることを特徴としている。
【００１１】
すなわち本発明のユビキタス空間構築システムは、図１０に一般化して示すように、例えば柱部材及び桁部材によって組み立てられる構造物１００上に、共通のプロトコル１０１が設けられ、そのプロトコル１０１上にサービス検索サーバ装置１０２とサービスプログラム１０３が設けられる。また、サービスプログラム１０３には、ＵＩ提供機能１０４とデバイス制御機能１０５が設けられている。
【００１２】
そして、例えばユーザによって操作されるパーソナルコンピュータ１１０がサービス検索サーバ装置１０２に接続される。また、例えばユーザによって操作される端末機器としての携帯電話機１２０は、例えばインターネット上のＷｅｂサーバ装置１２１を介してサービス検索サーバ装置１０２に接続される。
【００１３】
このような構成を有することにより、例えばユーザによって操作されるパーソナルコンピュータ１１０や携帯電話機１２０に対して、サービス検索サーバ装置１０２を介してプロトコル１０１上のサービスプログラム１０３に設けられるＵＩ提供機能１０４とデバイス制御機能１０５が実行される。これにより、本発明によれば、機器及び制御手段を任意に変更でき、良好なユビキタス空間構築システムを実現することができるものである。
【００１４】
なお、上述の説明では、例えばユーザによって操作される端末機器としての携帯電話機１２０を、インターネット上のＷｅｂサーバ装置１２１を介してサービス検索サーバ装置１０２に接続するとしたが、これは、例えば無線ＬＡＮを通じてイントラネットに接続されるモバイルコンピュータを用いる場合にも、同様に実施可能とされるものである。
【発明の効果】
【００１５】
以上述べた本発明によれば、柱部材及び桁部材が組み立てられてなる構造物を設け、その内部に設置される機器の制御を行う制御手段が設けられることによって、良好なユビキタス空間の構築を行うことができる。
【発明を実施するための最良の形態】
【００１６】
以下、図面を参照して本発明を説明するに、図１は本発明を適用したユビキタス空間構築システムの一実施形態を示す構成図である。
【００１７】
図１において、例えば柱部材１ａ、１ｂ…及び桁部材２ａ、２ｂ…によって所定の構造物１００が組み立てられる。この構造物１００は、例えば柱部材１ａ、１ｂ…及び桁部材２ａ、２ｂ…が任意の配置で結合されることによって組み立てられるもので、具体的には創造する空間の周囲や要部に柱部材１ａ、１ｂ…が設けられ、これらの柱部材１ａ、１ｂ…の上部が桁部材２ａ、２ｂ…により結合されて、全体として自立した構造物１００が組み立てられる。
【００１８】
構造物１００には、任意の柱部材１ａ、１ｂ…間にスクリーン部材３ａ、３ｂ…を設置可能とされる。これらのスクリーン部材３ａ、３ｂ…は、いわゆる間仕切りとして機能する他、例えば桁部材２ａ、２ｂ…に設置されるプロジェクタ（機器）４ａ、４ｂ…からの映像光の投影部としても使用される。なお、これらのスクリーン部材３ａ、３ｂ…には、不透明、半透明、または透明の素材を、必要とされる状況に応じて用いることができる。
【００１９】
柱部材１ａ、１ｂ…及び桁部材２ａ、２ｂ…には、他の機器として照明器具５ａ、５ｂ…や、スピーカ６ａ…を設置することができる。そして上述のプロジェクタ４ａ、４ｂ…、照明器具５ａ、５ｂ…、スピーカ６ａ…等への電源線（図示せず）が、柱部材１ａ、１ｂ…及び桁部材２ａ、２ｂ…の内部を通して配線されると共に、プロジェクタ４ａ、４ｂ…に対する映像、スピーカ６ａ…へ音響等の情報を送るデータ線（図示せず）も、柱部材１ａ、１ｂ…及び桁部材２ａ、２ｂ…の内部を通して配線される。
【００２０】
構造物１００内には、空間サーバ装置となるパーソナルコンピュータ７と、ディスプレイ８、プリンタ９等が設けられ、このパーソナルコンピュータ７によって、上述の柱部材１ａ、１ｂ…及び桁部材２ａ、２ｂ…の内部を通して配線される電源線及びデータ線を通じて、プロジェクタ４ａ、４ｂ…、照明器具５ａ、５ｂ…、スピーカ６ａ…等の機器の制御が行われる。なお、実際のシステムでは、空間サーバ装置（パーソナルコンピュータ７）と各機器との間には、個別に制御装置（図示せず）が設けられてもよい。
【００２１】
このようにして、柱部材１ａ、１ｂ…及び桁部材２ａ、２ｂ…によって形成される構造物１００による空間に、プロジェクタ４ａ、４ｂ…、照明器具５ａ、５ｂ…、スピーカ６ａ…等の機器が設置されると共に、これらの機器の制御をパーソナルコンピュータ７（空間サーバ装置）によって行うことができるようになる。
【００２２】
そして、さらにこの構造物１００によって形成される空間をユビキタス空間として利用するためには、以下に述べるシステムが設けられる。すなわち図２には、ユビキタス空間を実現するためのシステムのハードウェアの一実施形態を、ソフトウェアの階層構成と共に示す。なお、図２の上側（Ａ）には、システムのハードウェアの構成を示し、図２の下側（Ｂ）には、ソフトウェアの階層構成を示している。
【００２３】
この図２のＡおいて、図面の左端にはユーザによって操作されるパーソナルコンピュータ１１が示される。このパーソナルコンピュータ１１は、有線及び／または無線によるＬＡＮ（Local Area Network）１２を経由して、空間サーバ装置１３に接続される。さらに、この空間サーバ装置１３からは、ＬＡＮ１２を経由して、プロジェクタ制御プログラムの搭載されたパーソナルコンピュータ１４、及び、照明制御プログラムの搭載されたパーソナルコンピュータ１５に接続される。
【００２４】
さらに、パーソナルコンピュータ１４にはＲＧＢのデータ線を通じてプロジェクタ１６が接続される。これにより、パーソナルコンピュータ１４で形成された映像がプロジェクタ１６で表示される。またパーソナルコンピュータ１５には、例えばＵＳＢ（Universal Serial Bus）を通じて照明の調光装置１７が接続され、この調光装置１７に照明器具１８ａ、１８ｂが接続される。これにより、パーソナルコンピュータ１５の制御に従って照明器具１８ａ、１８ｂの調光が行われる。
【００２５】
このようなハードウェアの構成に対して、図２のＢに示すソフトウェアの階層構成においては、いわゆる物理ネットワーク層２１、ＩＰネットワーク２２としてのＴＣＰ／ＩＰ（Transmission Control Protocol/Internet Protocol）、セッション層２３としてのＯＳ／ＪＶＭ（Operating System/Java Virtual Machine）は共通とされる。そして、このセッション層２３の上に、パーソナルコンピュータ１１、空間サーバ装置１３及びパーソナルコンピュータ１４、１５に特化されたモジュールが設けられる。
【００２６】
すなわち、セッション層２３の上には、共通プロトコル層として、共通プロトコル通信モジュール２４ａ、２４ｂ、２４ｃが設けられる。さらにその上に、フレームワーク促進モジュールが設けられる。ここで、パーソナルコンピュータ１１には、ＧＵＩ（Graphical User Interface）のプログラム２５ａが設けられる。また、空間サーバ装置１３には、ユーザーディレクトリ及びサービスディレクトリの形成のプログラム２５ｂ、２５ｃが設けられる。
【００２７】
さらに、パーソナルコンピュータ１４には、フレームワーク促進モジュールとしてサービス提供プログラム２５ｄが設けられ、このサービス提供プログラム２５ｄの上に、個別のサービスを実行するためのプロジェクタ制御プログラム２６ａや照明制御プログラム２６ｂ等のアプリケーション層が設けられる。これにより、パーソナルコンピュータ１１による指示がパーソナルコンピュータ１４に伝達され、例えばプロジェクタ１６が制御され、また調光装置１７が駆動されて照明器具１８ａ、１８ｂの調光が行われる。
【００２８】
次に、本発明のユビキタス空間構築システムの動作を、図３に示すシーケンス図に基づいて説明する。図３においては、左端にパーソナルコンピュータ１１を示し、中央に空間サーバ装置１３を示し、右端にパーソナルコンピュータ１４を示す。最初に、パーソナルコンピュータ１４は空間サーバ装置１３を発見し、自らの存在と通信モジュールをサービスディレクトリに登録する(1)。一方、パーソナルコンピュータ１１も、空間サーバ装置１３を発見し、その認証を得てユーザーディレクトリに登録する(2)。
【００２９】
さらに、空間サーバ装置１３から使用可能なサービスがパーソナルコンピュータ１１に通知される(3)。これによってパーソナルコンピュータ１１は、空間内で使用可能なプロジェクタ１６の制御や、照明器具１８ａ、１８ｂの調光のサービスの存在を知ることができる。ここで、パーソナルコンピュータ１１でプロジェクタ１６の制御が選択された場合(4)には、空間サーバ装置１３に対してプロジェクタ１６の制御の通信モジュールが要求され、それが取得される(5)。
【００３０】
そして、上述の通信モジュールが取得されると、パーソナルコンピュータ１４に対してプロジェクタ１６の操作画面が要求され、それが取得される(6)。さらに、プロジェクタ１６の操作画面が、パーソナルコンピュータ１１のディスプレイに描画される(7)。これによって、パーソナルコンピュータ１１では、描画された操作画面を使ってプロジェクタ１６の操作を行うことができ、この操作信号がパーソナルコンピュータ１４を通じてプロジェクタ１６に供給されるようになる(8)。
【００３１】
次に、本発明のユビキタス空間構築システムの動作を、図４に示すパーソナルコンピュータ１１に描画される操作画面に基づいて説明する。
【００３２】
まず、図４のＡはログイン画面であって、例えばユーザ名とパスワードが入力されてログインが行われる。なおユーザ名は、予め空間サーバ装置１３のユーザーディレクトリに登録された名前との比較によって、当該ユーザ名がサービス空間を利用する権限を有しているか否かの判断を行う。またパスワードによって、当該ユーザ名の不正利用に対するセキュリティも担保されるようにしている。ただし、セキュリティの向上のためには、バイオメトリクス等による手段をさらに講じることもできる。
【００３３】
そしてログインが行われると、図４のＢに示すサービス一覧画面が表示される。ここで図４のＢの画面では、サービスとして、サービスの追加、削除、変更、権限などの管理を行うディレクトリ管理サービス、ユーザの管理を行うユーザ管理サービス、音楽再生を行うＢＡＣＫＵＰＬＯＡＤＥＮサービス、サービスの管理をロールというグループで管理しているロール管理サービス、ＣＥＮＴＥＲプレゼンテーションサービスが表示されている。そして、例えばＣＥＮＴＥＲプレゼンテーションサービスが選択されると、図４のＣに示すようなプレゼンテーションサービス画面が展開表示される。
【００３４】
図４のＣに示すプレゼンテーションサービス画面は、プロジェクタ１６によって表示される対象物の設定と、その制御を行う画面である。すなわち、図４のＣに示すプレゼンテーションサービス画面の中程には、ＵＲＩ（Universal Resource Identifier）の入力欄及びファイル一覧の表示欄が設けられ、これらに表示されるアドレスやファイル名によって表示の対象物が設定される。そして「プレゼン開始」と記載された欄にカーソルを移動しクリックを行うことにより、その対象物がプロジェクタ１６によって表示される。
【００３５】
また、プロジェクタ１６によって表示される対象物が、予めパーソナルコンピュータ１１に内蔵されている場合には、上記「プレゼン開始」と記載された欄の下側に設けられる送信ファイル名の入力欄に所望のファイル名を記入することによって、表示対象物の設定が行われる。そしてその下の「プレゼン開始」と記載された欄にカーソルを移動しクリックを行うことにより、その対象物がプロジェクタ１６によって表示される。なお、ファイル名の記入には、「参照」や「クリア」のボタンも利用される。
【００３６】
また、図４のＣに示すプレゼンテーションサービス画面の下端部には、「最初の画面」「前の画面」「閉じる」「次の画面」「最後の画面」のボタンが設けられ、それぞれのボタンにカーソルを移動しクリックを行うことにより、対応する画面への移動や画面を閉じるなどの操作が行われる。なお、表示の対象物が映像画面情報の場合には、プレゼンテーションサービス画面の下端部に、「再生」「早送り」「巻き戻し」「一時停止」「停止」等のボタンを設けて、映像画面情報に対する再生表示の操作を行うこともできる。
【００３７】
次に、図５に基づいて、プロジェクタ１６によって表示される対象物が表示されるまでのシステム上の手順の流れを説明する。図５において、パーソナルコンピュータ１１、１４と空間サーバ装置１３はＬＡＮ１２を介して接続されている。そこで最初に、手順(1)でパーソナルコンピュータ１４による空間サーバ装置１３の発見と登録が行われる。これにより、空間サーバ装置１３のサービスディレクトリには、パーソナルコンピュータ１４によるプロジェクターサービスが追加登録される。
【００３８】
次に、手順(2)でパーソナルコンピュータ１１によるネットワークへの参加が申し込まれ、手順(3)で空間サーバ装置１３の発見が行われ、さらに手順(4)で空間サーバ装置１３の承認が与えられる。続いて、手順(5)でパーソナルコンピュータ１１から空間サーバ装置１３のサービスディレクトリが検索され、例えばプロジェクターサービスが発見される。これによりパーソナルコンピュータ１１は、手順(6)でパーソナルコンピュータ１４にＵＩ（User Interface）を要求し、手順(7)で上述のＵＩに応じた操作ＧＵＩが生成される。
【００３９】
この結果、パーソナルコンピュータ１１での操作ＧＵＩに対応する操作がパーソナルコンピュータ１４に伝達できるようになり、ユーザの操作に応じてプロジェクタ１６によって表示される画像の制御が行われる。すなわちパーソナルコンピュータ１１のディスプレイには、図４のＣの下端部に示す例えば「最初の画面」・・・「最後の画面」のような操作ＧＵＩが表示され、この操作ＧＵＩの必要なボタンにカーソルを移動しクリックを行うことにより、プロジェクタ１６によって表示される画像が任意に制御されることになる。
【００４０】
なお、プロジェクタ１６が１台の場合には、パーソナルコンピュータ１４からＲＧＢ信号が直接出力されて、単独のプロジェクタ１６に供給される。これに対して、プロジェクタ１６が複数存在する場合には、さらにスイッチャー２１が設けられる。そして、パーソナルコンピュータ１４から出力された信号は、ＲＳ−２３２Ｃ等のデータ線を通じてスイッチャー２１に供給され、スイッチャー２１でそれぞれのプロジェクタ１６に向けて選択制御された信号が、ＲＧＢ信号に変換されて各プロジェクタ１６に供給される。
【００４１】
次に、図６に基づいて映像画面情報及びファイル情報の表示の具体的な手順を説明する。すなわち図６のＡは、映像画面情報の表示を行うものであって、パーソナルコンピュータ１１で設定された映像画面情報が、ＬＡＮ１２を介してパーソナルコンピュータ１４に供給される。そして、操作ＧＵＩで任意の表示の操作がされると、パーソナルコンピュータ１４で所望の映像画面情報のＲＧＢ信号が形成されてプロジェクタ１６に供給される。このようにして、パーソナルコンピュータ１１で設定された映像画面情報の表示が行われる。この場合、本発明のプログラムはコンピュータ１１で完了され、その実行によってコンピュータ１１で描画が行われ、描画された画面がコンピュータ１１を通じてコンピュータ１６に表示される。
【００４２】
また、図６のＢは、ファイル情報の表示を行うものであって、この場合には、パーソナルコンピュータ１１で設定されたファイル情報が、ＬＡＮ１２を介してパーソナルコンピュータ１４に送信される。そして、操作ＧＵＩで任意のファイル実行の操作がされると、パーソナルコンピュータ１４で所望のファイル情報のＲＧＢ信号が形成されてプロジェクタ１６に供給される。このようにして、パーソナルコンピュータ１１で設定されたファイル情報の表示が行われる。この場合、送られたファイルはコンピュータ１４で実行され、コンピュータ１６に表示される。これは例えばコンピュータ１１が、例えば携帯電話機やＰＤＡの場合には有効な手段である。
【００４３】
図７は、プロジェクタ１６が複数設置されている場合のシステム構成を示すものである。図７において、パーソナルコンピュータ１１で設定された映像画面情報及びファイル情報はＬＡＮ１２を介して、複数のプロジェクタ１６ａ、１６ｂ、１６ｃにそれぞれ対応するパーソナルコンピュータ１４ａ、１４ｂ、１４ｃに供給される。そして、これらのパーソナルコンピュータ１４ａ、１４ｂ、１４ｃからの信号が、スイッチャー２１を介してプロジェクタ１６ａ、１６ｂ、１６ｃに供給される。
【００４４】
従ってこのシステムにおいて、パーソナルコンピュータ１１からパーソナルコンピュータ１４ａ、１４ｂ、１４ｃに送信された映像画面情報及びファイル情報は、スイッチャー２１で選択制御を行うことにより、それぞれ任意のプロジェクタ１６ａ、１６ｂ、１６ｃによって表示することができる。なお、スイッチャー２１での選択制御は、パーソナルコンピュータ１４ａ、１４ｂ、１４ｃのいずれかを使って行うこともできるが、図示のように別のパーソナルコンピュータ２２を用意して行うこともできる。
【００４５】
上述した本発明のユビキタス空間構築システムの実施形態によれば、柱部材及び桁部材が組み立てられてなる構造物を有し、柱部材及び桁部材には、それぞれ少なくとも電源線とデータ線が収容可能とされると共に、柱部材及び桁部材を用いて機器の設置が可能とされ、電源線とデータ線を介して機器の駆動の制御を行う制御手段が設けられることによって、良好なユビキタス空間が構築されるようにすることができる。
【００４６】
また、制御手段は構造物の近傍で運用される情報端末によってアクセスされる空間サーバ装置と連携され、情報端末での指示に対し、空間サーバ装置を介して制御手段による機器の駆動の制御が行われるので、良好なユビキタス空間が構築される。
【００４７】
次に、図８を用いて本発明のユビキタス空間構築システムの他の実施形態を説明する。図８では、ユーザによって操作される端末機器として例えば携帯電話機を使用する場合のシステム構成図を示す。なお、以下に述べる実施形態は、携帯電話機を用いて照明器具の制御を行うものである。
【００４８】
図８において、端末機器としての携帯電話機３１は、例えば通信ネットワーク３２を通じて任意のルータ３３に接続され、このルータ３３を介してＬＡＮ３４に接続される。このＬＡＮ３４にはＷｅｂサーバ装置３５が接続されると共に、このＬＡＮ３４は、上述のＬＡＮ１２とリンクされている。また、上述の構造物１００（図示せず）に関連して場所通知手段３６が設けられる。この場所通知手段３６には、例えば任意の外部サーバ装置や二次元バーコード等が用いられる。
【００４９】
なお、ＬＡＮ１２には、上述の図２のＡでも示したように、空間サーバ装置１３が接続される。また、ＬＡＮ１２には照明制御プログラムの搭載されたパーソナルコンピュータ１５が接続されている。さらにパーソナルコンピュータ１５には、例えばＵＳＢを通じて照明の調光装置１７ａ及び制御装置１７ｂが接続され、この調光装置１７ａ及び制御装置１７ｂに照明器具１８ａ、１８ｂ、１８ｃ、１８ｄが接続される。これにより、パーソナルコンピュータ１５の制御に従って照明器具１８ａ〜１８ｄの調光及び制御が行われる。
【００５０】
そして、携帯電話機３１を端末機器として用いる場合には、まず手順(1)で携帯電話機３１により場所通知手段３６から位置情報が取得される。なお、場所通知手段３６からの位置情報の取得方法としては、任意の外部サーバ装置との交信や二次元バーコードの読み取りなどにより行うことができる。次に手順(2)で携帯電話機３１から位置情報がＷｅｂサーバ装置３５に通知され、認証が行われる。さらに手順(3)でＷｅｂサーバ装置３５から空間サーバ装置１３に認証が通知される。
【００５１】
これにより、手順(4)で携帯電話機３１は空間サーバ装置１３にサービス一覧をもらいに行き、必要なサービスの選択が行われる。そして、例えば照明制御のサービスが選択されると、手順(5)でパーソナルコンピュータ１５の照明制御プログラムにＵＩを要求し、携帯電話機３１のディスプレイ（図示せず）に操作ＧＵＩが作成される。なお、この操作ＧＵＩの一例を図９に示す。この図９の例では、前、中、後の３箇所のライトの調光と、蛍光灯のＯＮ／ＯＦＦ、及び全ての照明のＯＮ／ＯＦＦの制御を行うものである。
【００５２】
そして手順(6)で例えば照明ＯＮの操作が行われると、手順(7)でパーソナルコンピュータ１５の照明制御プログラムが照明ＯＮの指示を受け取り、手順(8)で照明ＯＮのプログラムが実行される。これにより、手順(9)で調光装置１７ａを通じて照明器具１８ａ、１８ｂが点灯され、制御装置１７ｂを通じて照明器具１８ｃ、１８ｄが点灯される。なお、調光装置１７ａでは電圧制御により明度の調整が行われる。また、制御装置１７ｂでは蛍光灯等のＯＮ／ＯＦＦの制御が行われる。なお、このような制御は照明だけでなく、空調設備等の制御にも応用できるものである。
【００５３】
このように、本発明のユビキタス空間構築システムによれば、ユビキタス空間構築システムであって、柱部材及び桁部材が組み立てられてなる構造物を有し、柱部材及び桁部材には、それぞれ少なくとも電源線とデータ線が収容可能とされると共に、柱部材及び桁部材を用いて機器の設置が可能とされ、電源線とデータ線を介して機器の駆動の制御を行う制御手段が設けられることにより、良好なユビキタス空間が構築されるようにすることができるものである。
【００５４】
なお本発明は、上述の説明した実施形態に限定されるものではなく、特許請求の範囲に記載した本発明の要旨を逸脱しない限りにおいて、種々の変形が可能とされるものである。
【図面の簡単な説明】
【００５５】
【図１】本発明を適用したユビキタス空間構築システムの一実施形態を示す構成図である。
【図２】本発明に適用されるユビキタス空間を実現するためのシステムのハードウェアの一実施形態を、ソフトウェアの階層構成と共に示す図である。
【図３】本発明のユビキタス空間構築システムの動作を示すシーケンス図である。
【図４】パーソナルコンピュータ１１に描画される操作画面の実施形態を示す図である。
【図５】プロジェクタ１６によって表示される対象物が表示されるまでのシステム上の手順の流れを示す図である。
【図６】映像画面情報及びファイル情報の表示の手順の具体例を示す図である。
【図７】プロジェクタ１６が複数設置されている場合のシステム構成図である。
【図８】本発明の他の実施形態としてユーザによって操作される端末機器に携帯電話機を使用する場合のシステム構成図である。
【図９】その操作ＧＵＩの一例を示す図である。
【図１０】本発明によるユビキタス空間構築システムの一般的な構成を説明する図である。
【符号の説明】
【００５６】
１００…構造物、１ａ，１ｂ…柱部材、２ａ，２ｂ…桁部材、３ａ，３ｂ…スクリーン部材、４ａ，４ｂ…プロジェクタ、５ａ，５ｂ…照明器具、６ａ…スピーカ、７…パーソナルコンピュータ、８…ディスプレイ、９…プリンタ、１１…ユーザによって操作されるパーソナルコンピュータ、１２…ＬＡＮ、１３…空間サーバ装置、１４…プロジェクタ制御プログラムの搭載されたパーソナルコンピュータ、１５…照明制御プログラムの搭載されたパーソナルコンピュータ、１６…プロジェクタ、１７…調光装置、１８ａ，１８ｂ…照明器具
【図１】
2006068154.tif 000003
【図２】
2006068154.tif 000004
【図３】
2006068154.tif 000005
【図４】
2006068154.tif 000006
【図５】
2006068154.tif 000007
【図６】
2006068154.tif 000008
【図７】
2006068154.tif 000009
【図８】
2006068154.tif 000010
【図９】
2006068154.tif 000011
【図１０】
2006068154.tif 000012